(57)【要約】【課題】狭い洗面所に貯湯式温水器を設置しても車椅子の使用者の邪魔になることなく、また出湯性能も悪化させることのない、貯湯式温水器を備えた洗面所、および貯湯式温水器の設置方法を提供する。【解決手段】貯湯式温水器１は洗面器８の上部に設置されるので、車椅子１９に乗った使用者の邪魔になることはない。また、貯湯式温水器１と洗面器８の距離が近いので、出湯性能も良好である。さらに、貯湯式温水器１の表面に設けた鏡２０は、貯湯式温水器１の金属ケーシングからの伝熱によって温められるので、湯気などによって曇ることがない。【選択図】  図２
2004148045.tif 000002
【特許請求の範囲】
【請求項１】
立壁に取り付けられたカウンターと、前記カウンターに固定された洗面器とを有し、貯湯式温水器を備えた洗面所であって、前記貯湯式温水器の外郭は略直方体形状の金属製のケーシングで形成され、前記ケーシングの背面側が前記カウンターの上方の前記立壁に固定されるとともに、前記ケーシングの前面側には鏡が取り付けられていることを特徴とする貯湯式温水器を備えた洗面所。
【請求項２】
洗面器を有する洗面化粧台と、貯湯式温水器を備えた洗面所であって、前記貯湯式温水器の外郭は略直方体形状の金属製のケーシングで形成され、前記ケーシングの背面側が前記洗面器の上方奥側の立壁に固定されるとともに、前記ケーシングの前面側には鏡が取り付けられていることを特徴とする貯湯式温水器を備えた洗面所。
【請求項３】
立壁に取り付けられたカウンターと、前記カウンターに固定された洗面器とを有した洗面所に、貯湯式温水器を設置する方法であって、前記貯湯式温水器の外郭は略直方体形状の金属製のケーシングで形成され、前記ケーシングの前面側には鏡が取り付けられているとともに、前記ケーシングの背面側を前記カウンターの上方の前記立壁に固定することを特徴とする貯湯式温水器の設置方法。
【請求項４】
洗面器を有する洗面化粧台を備えた洗面所に、貯湯式温水器を設置する方法であって、前記貯湯式温水器の外郭は略直方体形状の金属製のケーシングで形成され、前記ケーシングの前面側には鏡が取り付けられているともに、前記ケーシングの背面側を前記洗面器の上方奥側の立壁に固定することを特徴とする貯湯式温水器の設置方法。
【発明の詳細な説明】
【０００１】
【発明の属する技術分野】
本発明は、鏡とともに小型の貯湯式温水器を備えた洗面所、および該洗面所での貯湯式温水器の設置方法に関するものである。
【０００２】
【従来の技術】
従来、鏡とともに小型の貯湯式温水器を備えた洗面所としては、図４に示すようなものがあった（例えば、特許文献１参照）。図４において、３０は箱状に形成され床に据え置かれた貯湯式温水器、２は給水源である止水栓、３は止水栓２と貯湯式温水器３０とを連結する給水管、４は貯湯式温水器３０への入水部である給水口、５は貯湯式温水器３０からお湯を供給する出湯口、１７は貯湯式温水器３０から水を供給する出水口である。また、６は混合水栓であり、７は出湯口５からのお湯を混合水栓６に供給する給湯管、１８は出水口１７からの水を混合水栓６に供給する出水管である。また、９は立壁１３に取り付けられたカウンター、８はカウンター９に固定された洗面器、１０は洗面器８の排水管、１１は混合水栓６の開閉バルブ、１２は混合水栓６の蛇口、３１は鏡である。
【０００３】
使用者が混合水栓６の開閉バルブ１１を湯側に開くと、止水栓２より水が供給され、給水管３を介して給水口４、出湯口５、給湯管７の経路で混合水栓６の蛇口１２より、貯湯式温水器３０で作られたお湯が供給される。また、開閉バルブ１１を水側に開くと、止水栓２より水が供給され、給水管３を介して給水口４、出水口１７、出水管１８の経路で混合水栓６の蛇口１２より、水が供給される。使用者は、所望の温度の湯水を得るため、お湯と水の混合割合を開閉バルブ１１で調整しながら使用する。
【０００４】
ところで、貯湯式温水器３０と混合水栓６との距離が短いほど、使用者に早くお湯を供給することができる。このため貯湯式温水器３０は、図４に示すように混合水栓６を取り付けている洗面器８の下部近傍に設置されるのが一般的である。この場合、貯湯式温水器３０で作られたお温を、使用者がすぐに使用することができる。
【０００５】
図５は、図４で示した洗面所の右側面図である。この洗面所の洗面器８を使用するため、車椅子１９に乗った使用者が近づこうとするとき、貯湯式温水器３０が邪魔になる。具体的には、車椅子１９や使用者の足が貯湯式温水器３０に当たって開閉バルブ１１に手が届かなかったり、あるいは、貯湯式温水器３０をよけるようにして近づかなければならないなど、使い勝手が非常に悪い。
【０００６】
洗面所の広さに余裕のある場合は、上記の不具合を改善するため、図６に示すように貯湯式温水器３０を洗面器８から離れた場所に設置して、車椅子１９の入るスペースを確保することができる。車椅子の幅は、一般に７００ｍｍ程度であるため、貯湯式温水器３０が洗面器８の中心より３５０ｍｍ以上離れるように取り付けるとよい。
【０００７】
なお、貯湯式温水器３０は、洗面化粧台に組み込まれる場合もあるが、この例を図７に示す。図７に示すように、洗面化粧台３２は洗面器８と鏡３１を備えており、貯湯式温水器３０は、洗面器８の下部の収納部分３３に設置される。
【０００８】
【特許文献１】
実開平７−１８１６５号公報（図１）
【０００９】
【発明が解決しようとする課題】
しかしながら、車椅子１９に乗った使用者に配慮しようとしても、洗面所が狭いため貯湯式温水器３０を洗面器８の近傍に設置（図４参照）せざるを得ないケースがある、という問題があった。この場合は、図５で示したように貯湯式温水器３０が邪魔になり、車椅子１９の使用者の、洗面器８の使用を妨げてしまう。反面、図６のように貯湯式温水器３０を設置できた場合には、給湯管７を長くする必要があるため、配管内でお湯が冷めて次の出湯までに時間がかかってしまうという性能上の問題が生じていた。一方、図７のように洗面化粧台３２の洗面器８の下部に貯湯式温水器３０を組み込んだ場合は、収納部分３３の多くを貯湯式温水器３０が占めてしまい、せっかくの収納スペースを十分活用できないという問題があった。
【００１０】
本発明は、上記課題を解決するためになされたもので、本発明の目的は、狭い洗面所に貯湯式温水器を設置しても車椅子の使用者の邪魔になったり出湯性能を悪化させたりせず、また、洗面化粧台に組み込んだ場合には下部の収納スペースを圧迫することのない、貯湯式温水器を備えた洗面所、および貯湯式温水器の設置方法を提供することにある。
【００１１】
【課題を解決するための手段およびその作用・効果】
上記目的を達成するために請求項１は、立壁に取り付けられたカウンターと、前記カウンターに固定された洗面器とを有し、貯湯式温水器を備えた洗面所であって、前記貯湯式温水器の外郭は略直方体形状の金属製のケーシングで形成され、前記ケーシングの背面側が前記カウンターの上方の前記立壁に固定されるとともに、前記ケーシングの前面側には鏡が取り付けられていることとした。
【００１２】
上記発明によれば、貯湯式温水器は洗面器の上部に設置されるので車椅子の使用者の邪魔になることはなく、貯湯式温水器と洗面器の距離が近いため出湯性能も良好である。また、貯湯式温水器と鏡が一体となっているため、別々に施工する場合に比べて現場での設置施工も容易である。さらに、貯湯により温かくなった貯湯式温水器の金属製のケーシングが、隣接した鏡を温めるため、湯気などによる鏡の曇りを防止する効果もある。
【００１３】
請求項２では、洗面器を有する洗面化粧台と、貯湯式温水器を備えた洗面所であって、前記貯湯式温水器の外郭は略直方体形状の金属製のケーシングで形成され、前記ケーシングの背面側が前記洗面器の上方奥側の立壁に固定されるとともに、前記ケーシングの前面側には鏡が取り付けられていることとした。
【００１４】
上記発明によれば、貯湯式温水器は洗面器の上部に設置されるので、洗面化粧台の下部の収納スペースを圧迫することがない。また、貯湯により温かくなった貯湯式温水器の金属製のケーシングが、隣接した鏡を温めるため、湯気などによる鏡の曇りを防止する効果もある。
【００１５】
請求項３では、立壁に取り付けられたカウンターと、前記カウンターに固定された洗面器とを有した洗面所に、貯湯式温水器を設置する方法であって、前記貯湯式温水器の外郭は略直方体形状の金属製のケーシングで形成され、前記ケーシングの前面側には鏡が取り付けられているとともに、前記ケーシングの背面側を前記カウンターの上方の前記立壁に固定することとした。
【００１６】
上記発明によれば、貯湯式温水器は洗面器の上部に設置されるので車椅子の使用者の邪魔になることはなく、貯湯式温水器と洗面器の距離が近いため出湯性能も良好である。また、貯湯式温水器と鏡が一体となっているため、別々に施工する場合に比べて現場での設置施工も容易である。さらに、貯湯により温かくなった貯湯式温水器の金属製のケーシングが、隣接した鏡を温めるため、湯気などによる鏡の曇りを防止する効果もある。
【００１７】
請求項４では、洗面器を有する洗面化粧台を備えた洗面所に、貯湯式温水器を設置する方法であって、前記貯湯式温水器の外郭は略直方体形状の金属製のケーシングで形成され、前記ケーシングの前面側には鏡が取り付けられているともに、前記ケーシングの背面側を前記洗面器の上方奥側の立壁に固定することとした。
【００１８】
上記発明によれば、貯湯式温水器は洗面器の上部に設置されるので、洗面化粧台の下部の収納スペースを圧迫することがない。また、貯湯により温かくなった貯湯式温水器の金属製のケーシングが、隣接した鏡を温めるため、湯気などによる鏡の曇りを防止する効果もある。
【００１９】
【発明の実施の形態】
以下、本発明の実施の形態を、図面により詳細に説明する。
【００２０】
図１は、本発明の第一の実施例である貯湯式温水器を備えた洗面所を示す図である。図１において、１は貯湯式温水器、２は給水源である止水栓、３は止水栓２と貯湯式温水器１とを連結する給水管、４は貯湯式温水器１への入水部である給水口、５は貯湯式温水器１からお湯を供給する出湯口、１７は貯湯式温水器１から水を供給する出水口である。また、６は混合水栓であり、７は出湯口５からのお湯を混合水栓６に供給する給湯管、１８は出水口１７からの水を混合水栓６に供給する出水管である。また、９は立壁１３に取り付けられたカウンター、８はカウンター９に固定された洗面器、１０は洗面器８の排水管、１１は混合水栓６の開閉バルブ、１２は混合水栓６の蛇口である。
【００２１】
使用者が混合水栓６の開閉バルブ１１を湯側に開くと、止水栓２より水が供給され、給水管３を介して給水口４、出湯口５、給湯管７の経路で混合水栓６の蛇口１２より、貯湯式温水器１で作られたお湯が供給される。また、開閉バルブ１１を水側に開くと、止水栓２より水が供給され、給水管３を介して給水口４、出水口１７、出水管１８の経路で混合水栓６の蛇口１２より、水が供給される。使用者は、所望の温度の湯水を得るため、お湯と水の混合割合を開閉バルブ１１で調整しながら使用する。
【００２２】
貯湯式温水器１は、略直方体形状の金属製のケーシングで外郭が形成されており、固定金具１４を介してビス（図示せず）により立壁１３に固定されている。また、貯湯式温水器１の前面には、鏡固定金具２１により鏡２０が取り付けられている。
【００２３】
図２は、図１で示した洗面ブースの右側面図である。図２から明らかなように、貯湯式温水器１は洗面器８の上部に設置されているので、車椅子１９に乗った使用者の邪魔になることはない。また、図１から明らかなように、貯湯式温水器１と洗面器８の距離が近いので、出湯性能も良好である。
【００２４】
ところで、鏡２０のサイズとしては、使い勝手の良さから横幅５００ｍｍ以上、高さ７００ｍｍ以上（図１参照）であることが望ましい。そこで、貯湯式温水器１の横幅および高さも、これ以上としている。また、貯湯式温水器１の厚さは、圧迫感のないように１５０ｍｍ以下（図２参照）としている。本実施例においては、貯湯式温水器１と鏡２０が一体となっているため、別作業で鏡を設置する必要もなく、現場での設置施工が容易である。
【００２５】
また、通常、貯湯式温水器１は高温の湯を貯めて保温しているため、鏡２０の裏側は、貯湯式温水器１の金属ケーシングからの伝熱により、約４５℃〜５０℃程度の温度になっている。このため、湯気などの熱く湿度の高い空気と接しても、鏡２０が曇ることはない。このように、鏡２０に特殊な曇り止めを施さなくても、貯湯式温水器１の熱により曇り止めができる。また、貯湯式温水器１は洗面器８より上方にあるため、万一、貯湯式温水器１から水漏れなどが発生しても漏れた水は自然に洗面器８内に落ちるため、床面１５を濡らしてしまうことがなく、使用者も容易に水漏れに気付く。
【００２６】
図３は、本発明の第二の実施例である貯湯式温水器を備えた洗面所を示す図である。第一の実施例（図１）との違いは、洗面器８が洗面化粧台２２に組み込まれて下部に収納部分１６を備えた点のみで、他の構造は同じである。このため、図１との共通部分には同一の符号を付して、説明は省略する。本実施例においては、第一の実施例と同様に出湯性能が良好、曇り止めができる、水漏れしても床面を濡らさない、などの効果があるうえ、洗面化粧台２２の下部の収納部分１６に貯湯式温水器１を設置する必要がないため、収納部分１６を有効な収納スペースとして利用することが可能となる。
【図面の簡単な説明】
【図１】本発明の第一の実施例である貯湯式温水器を備えた洗面所を示す図
【図２】図１の右側面図
【図３】本発明の第二の実施例である貯湯式温水器を備えた洗面所を示す図
【図４】従来の貯湯式温水器を備えた洗面所を示す図
【図５】図４の右側面図
【図６】従来の貯湯式温水器を備えた洗面所を示す別の図
【図７】従来の貯湯式温水器を備えた洗面所を示す別の図
【符号の説明】
１…貯湯式温水器
２…止水栓
３…給水管
４…給水口
５…出湯口
６…混合水栓
７…給湯管
８…洗面器
９…カウンター
１０…排水管
１１…開閉バルブ
１２…蛇口
１３…立壁
１４…固定金具
１５…床面
１６…収納部分
１７…出水口
１８…出水管
１９…車椅子
２０…鏡
２１…鏡固定金具
２２…洗面化粧台
３０…貯湯式温水器
３１…鏡
３２…洗面化粧台
３３…収納部分
【図１】
2004148045.tif 000003
【図２】
2004148045.tif 000004
【図３】
2004148045.tif 000005
【図４】
2004148045.tif 000006
【図５】
2004148045.tif 000007
【図６】
2004148045.tif 000008
【図７】
2004148045.tif 000009